(57)【要約】【課題】建物開口部に設けられる引き違いサッシにおいて障子を自動的に開閉できるリニア駆動サッシを提供する。【解決手段】上下枠１０、２０及び左右の縦枠３０を枠組みしてなる枠体１内に内外障子２、３を引き違い状に納め、内障子２または外障子３は上枠１０内に納められるリニア駆動装置７０に連結されるものであって、上枠１０は下面に内障子２または外障子３をガイドするガイドレール１５を有すると共に、ガイドレール１５が内障子２をガイドする場合は室外側面に、ガイドレール１５が外障子３をガイドする場合は室内側面に、開口した開口凹部１８を備え、開口凹部１８内にはリニア駆動装置７０を納めてガイドレール１５にガイドされる障子と反対側の障子と連結してなる。【選択図】図３
2007270535.tif 000002
【特許請求の範囲】
【請求項１】
上下枠及び左右の縦枠を枠組みしてなる枠体内に内外障子を引き違い状に納め、前記内障子または外障子は前記上枠内に納められるリニア駆動装置に連結されて駆動されるリニア駆動サッシであって、
前記上枠は下面に内障子または外障子をガイドするガイドレールを有すると共に、該ガイドレールが前記内障子をガイドする場合は室外側面に、前記ガイドレールが前記外障子をガイドする場合は室内側面に、開口した開口凹部を備え、該開口凹部内には前記リニア駆動装置を納め、該リニア駆動装置を構成し前記上枠の長手方向に移動自在な走行体を前記ガイドレールにガイドされる障子と反対側の障子に連結してなることを特徴とするリニア駆動サッシ。
【請求項２】
前記上枠は、前記ガイドレールが前記内障子をガイドするように設けられる場合は下面が室外側に延出した延出部を備えると共に、該延出部には前記外障子をガイドする第２のガイドレールが形成され、前記ガイドレールが前記外障子をガイドするように設けられる場合は下面が室内側に延出した延出部を備えると共に、該延出部には前記内障子をガイドする第２のガイドレールが形成されることを特徴とする請求項１記載のリニア駆動サッシ。
【請求項３】
前記上枠には前記開口凹部の開口部を覆う幕板が取付けられてなることを特徴とする請求項１または２記載のリニア駆動サッシ。
【請求項４】
前記上枠は建物躯体に固定される固着部と、該固着部の下部に取付けられ前記ガイドレールを備えたガイドレール部とを別体として構成してなることを特徴とする請求項１〜３のいずれか１項に記載のリニア駆動サッシ。
【請求項５】
前記ガイドレール部は前記固着部に対して室内外いずれの向きでも取付自在であることを特徴とする請求項４記載のリニア駆動サッシ。
【請求項６】
前記走行体は磁石と上吊り戸車とを有し、前記リニア駆動装置により駆動される障子は前記走行体に上吊り状に支持されて前記枠体の長手方向に走行自在とされたことを特徴とする請求項１〜５のいずれか１項に記載のリニア駆動サッシ。
【請求項７】
前記走行体は磁石を有し、前記リニア駆動装置により駆動される障子は前記走行体と連結されると共に、前記下框に設けられる戸車が前記下枠に形成されるレール上に走行自在に載置されて前記障子を支持することを特徴とする請求項１〜５のいずれか１項に記載のリニア駆動サッシ。
【請求項８】
枠体内に内外障子を引き違い状に納め、該障子は框体にガラス体を納めてなるサッシに対し、前記障子を駆動するリニア駆動装置を追加するサッシの改装方法であって、
前記枠体の室内側または室外側近傍に前記リニア駆動装置を固定し、該リニア駆動装置を構成し前記サッシの長手方向に移動自在な走行体を固定ブラケットを介して前記障子の框体に連結固定することを特徴とするサッシの改装方法。
【発明の詳細な説明】
【技術分野】
【０００１】
本発明は、内外障子を枠体内に納めたサッシの内障子または外障子をリニア駆動装置によって開閉させるリニア駆動サッシに関し、特に上枠内にリニア駆動装置を納めて内障子または外障子を駆動するリニア駆動サッシ及びサッシの改装方法に関する。
【背景技術】
【０００２】
従来から、モーターにより建物内に設けられる引戸を自動的に開閉させる開閉装置が知られており、またリニアモーターを用いたリニア駆動装置による開閉装置も知られている。これらの開閉装置は、引戸が片開きまたは両開きするように設けられており、また主に建物内に設けられることから、気密性や水密性についてはあまり考慮されていないものである。リニア駆動装置を用いた開閉装置としては、例えば特許文献１に挙げるようなものがある。
【特許文献１】特開２００５−９００４０号公報
【発明の開示】
【発明が解決しようとする課題】
【０００３】
建物開口部には枠体内に内外障子を引き違い状に納めたサッシが設けられるが、このような引き違いサッシにおいてリニア駆動装置によって自動的に障子を開閉させるものは従来なかった。また、引き違いサッシでは、枠体の室内側と室外側にそれぞれ障子が走行自在に配置されるため、従来のリニア駆動装置を用いた開閉装置はその構成をそのままサッシに適用できるものではなかった。さらに、建物開口部に設けられるサッシにおいては、リニア駆動装置を設けつつも気密性や水密性を確保する必要もある。また、既存のサッシに対して後付けでリニア駆動装置を取付け、障子を駆動するように改装できる方法も望まれていた。
【０００４】
本発明は、上記問題点を解決すべくなされたものであり、建物開口部に設けられる引き違いサッシにおいて障子を自動的に開閉できるリニア駆動サッシ及びサッシの改装方法を提供することを目的とする。
【課題を解決するための手段】
【０００５】
上下枠及び左右の縦枠を枠組みしてなる枠体内に内外障子を引き違い状に納め、前記内障子または外障子は前記上枠内に納められるリニア駆動装置に連結されて駆動されるリニア駆動サッシであって、
前記上枠は下面に内障子または外障子をガイドするガイドレールを有すると共に、該ガイドレールが前記内障子をガイドする場合は室外側面に、前記ガイドレールが前記外障子をガイドする場合は室内側面に、開口した開口凹部を備え、該開口凹部内には前記リニア駆動装置を納め、該リニア駆動装置を構成し前記上枠の長手方向に移動自在な走行体を前記ガイドレールにガイドされる障子と反対側の障子に連結してなることを特徴として構成されている。
【０００６】
また、本発明に係るリニア駆動サッシは、前記上枠は、前記ガイドレールが前記内障子をガイドするように設けられる場合は下面が室外側に延出した延出部を備えると共に、該延出部には前記外障子をガイドする第２のガイドレールが形成され、前記ガイドレールが前記外障子をガイドするように設けられる場合は下面が室内側に延出した延出部を備えると共に、該延出部には前記内障子をガイドする第２のガイドレールが形成されることを特徴として構成されている。
【０００７】
さらに、本発明に係るリニア駆動サッシは、前記上枠には前記開口凹部の開口部を覆う幕板が取付けられてなることを特徴として構成されている。
【０００８】
さらにまた、本発明に係るリニア駆動サッシは、前記上枠は建物躯体に固定される固着部と、該固着部の下部に取付けられ前記ガイドレールを備えたガイドレール部とを別体として構成してなることを特徴として構成されている。
【０００９】
そして、本発明に係るリニア駆動サッシは、前記ガイドレール部は前記固着部に対して室内外いずれの向きでも取付自在であることを特徴として構成されている。
【００１０】
また、本発明に係るリニア駆動サッシは、前記走行体は磁石と上吊り戸車とを有し、前記リニア駆動装置により駆動される障子は前記走行体に上吊り状に支持されて前記枠体の長手方向に走行自在とされたことを特徴として構成されている。
【００１１】
さらに、本発明に係るリニア駆動サッシは、前記走行体は磁石を有し、前記リニア駆動装置により駆動される障子は前記走行体と連結されると共に、前記下框に設けられる戸車が前記下枠に形成されるレール上に走行自在に載置されて前記障子を支持することを特徴として構成されている。
【００１２】
さらに、本発明に係るサッシの改装方法は、枠体内に内外障子を引き違い状に納め、該障子は框体にガラス体を納めてなるサッシに対し、前記障子を駆動するリニア駆動装置を追加するサッシの改装方法であって、
前記枠体の室内側または室外側近傍に前記リニア駆動装置を固定し、該リニア駆動装置を構成し前記サッシの長手方向に移動自在な走行体を固定ブラケットを介して前記障子の框体に連結固定することを特徴として構成されている。
【発明の効果】
【００１３】
本発明に係るリニア駆動サッシによれば、上枠は下面に内障子または外障子をガイドするガイドレールを有すると共に、ガイドレールが内障子をガイドする場合は室外側面に、ガイドレールが外障子をガイドする場合は室内側面に、開口した開口凹部を備え、開口凹部内にはリニア駆動装置を納め、リニア駆動装置を構成し上枠の長手方向に移動自在な走行体をガイドレールにガイドされる障子と反対側の障子に連結してなることにより、引き違いサッシの構成において内障子または外障子のいずれかを自動的に開閉可能とすることができる。
【００１４】
また、本発明に係るリニア駆動サッシによれば、上枠は、ガイドレールが内障子をガイドするように設けられる場合は下面が室外側に延出した延出部を備えると共に、延出部には外障子をガイドする第２のガイドレールが形成され、ガイドレールが外障子をガイドするように設けられる場合は下面が室内側に延出した延出部を備えると共に、延出部には内障子をガイドする第２のガイドレールが形成されることにより、いずれの障子を駆動する場合においても内障子と外障子の両方を上枠のガイドレールによって案内するので、上枠において通常のサッシと同等の気密性及び水密性を確保することができる。
【００１５】
さらに、本発明に係るリニア駆動サッシによれば、上枠には開口凹部の開口部を覆う幕板が取付けられてなることにより、開口凹部に納められるリニア駆動装置が外部に直接露出しないようにすることができる。
【００１６】
さらにまた、本発明に係るリニア駆動サッシによれば、上枠は建物躯体に固定される固着部と、固着部の下部に取付けられガイドレールを備えたガイドレール部とを別体として構成してなることにより、固着部またはガイドレール部を複数のサッシで共用化することができ、部品の共用化を図ることができる。
【００１７】
そして、本発明に係るリニア駆動サッシによれば、ガイドレール部は固着部に対して室内外いずれの向きでも取付自在であることにより、リニア駆動装置によって内障子を駆動する場合と外障子を駆動する場合のいずれにも、同じ形状のガイドレール部を用いることができ、部品の共用化を図ることができる。
【００１８】
また、本発明に係るリニア駆動サッシによれば、走行体は磁石と上吊り戸車とを有し、リニア駆動装置により駆動される障子は走行体に上吊り状に支持されて枠体の長手方向に走行自在とされたことにより、比較的小さな駆動力で障子を走行させることができる。
【００１９】
さらに、本発明に係るリニア駆動サッシによれば、走行体は磁石を有し、リニア駆動装置により駆動される障子は走行体と連結されると共に、下框に設けられる戸車が下枠に形成されるレール上に走行自在に載置されて障子を支持することにより、リニア駆動装置に上吊り戸車が不要となり上枠をコンパクトにすることができる。
【００２０】
さらにまた、本発明に係るサッシの改装方法によれば、枠体の室内側または室外側近傍にリニア駆動装置を固定し、リニア駆動装置を構成しサッシの長手方向に移動自在な走行体を固定ブラケットを介して障子の框体に連結固定することにより、既存のサッシに対して容易に後付けでリニア駆動装置を追加して、障子を駆動することができる。
【発明を実施するための最良の形態】
【００２１】
本発明の実施形態について図面に沿って詳細に説明する。図１は第１の実施形態におけるサッシの縦断面図である。また、図２はサッシの横断面図である。これら各図において、本実施形態におけるサッシは、ビルなどの建物開口部に装着された上枠１０、下枠２０、及び縦枠３０、３０からなる枠体１内に、上框４０、下框５０、及び縦框６０、６０を框組みしてガラスを納めてなる内障子２及び外障子３を引違い状に走行自在となるように納めてなるものである。図１に示したサッシでは、内障子２をリニア駆動装置７０によって駆動し、枠体１の長手方向に自動的に走行させるようにしている。
【００２２】
このサッシでは、下枠２０は敷居面２２が略フラットとなるように形成されている。下枠２０の室内側端部には、平面状の室内側片２１が形成され、敷居面２２には内障子２を案内する内レール２３と、外障子３を案内する外レール２４とが形成され、さらに内レール２３の室内側には室内側溝２６が、内レール２３と外レール２４の間には中間溝２７が、それぞれ形成される。内障子２と外障子３の下框５０には、室内側面下端部が垂下された垂下部５１が形成されており、それぞれ室内側溝２６と中間溝２７に飲み込まれて障子の走行時にガイドされる。また、下框５０には戸車５２が設けられており、外障子３の戸車５２は外レール２４上に載置されて走行自在となるように構成されている。一方、後述するように内障子２はリニア駆動装置７０に上吊り状となるように連結されているため、戸車５２は内レール２３から若干浮いた状態となっている。
【００２３】
図３には、図１における上枠１０付近の拡大図を示している。上枠１０には上端部に固着部１１が設けられる。この固着部１１に対しては、アンカー部材（図示しない）が係合され、さらにアンカー部材はアンカーボルト（図示しない）によって建物躯体に対して固定される。下枠２０や縦枠３０も同様に固着部を有しており、これらによって枠体１は建物躯体に対して取付けられる。
【００２４】
上枠１０については、固着部１１とその下部に取付けられるガイドレール部１２とが別体として構成されている。すなわち、ガイドレール部１２は固着部１１に対して着脱自在に設けられる。ガイドレール部１２は、係合部１３によって固着部１１の室外側寄りに取付けられる。
【００２５】
ガイドレール部１２は、断面中空状に形成されると共に、下面には外障子３を案内するガイドレール１５を有している。固着部１１とガイドレール部１２によって、上枠１０は室内側面に開口した開口凹部１８を形成しており、この開口凹部１８内に室内側からリニア駆動装置７０が納められ固定されている。また、固着部１１の室内側端部には、リニア駆動装置７０の室内側露出部分を覆うように幕板７９が取付けられる。
【００２６】
上枠１０の開口凹部１８に納められるリニア駆動装置７０は、上枠１０に対する固定をなす基部７１と、基部７１の上端部に固定されるコイル７３と、リニア駆動装置７０内を長手方向に走行する走行体７４とから構成されている。基部７１は、断面略コ字状の薄板からなっており、上面を上枠１０の固着部１１に、室外側面をガイドレール部１２に、それぞれネジ止め固定している。
【００２７】
走行体７４は、コイル７３と対向するように配置される磁石７５と、磁石７５と固定片７７を介して連結された上吊り戸車７６とからなっており、上吊り戸車７６は固定片７７に設けられる軸部７７ａによって回転自在とされている。また、上吊り戸車７６は基部７１の下面室内側端部に形成される戸車走行レール７２上に載置されており、この戸車走行レール７２上を走行することによって、走行体７４がリニア駆動装置７０の長手方向に移動する。
【００２８】
基部７１に固定されるコイル７３と走行体７４に設けられる磁石７５は、リニア駆動装置７０内において長手方向に延びるように設けられており、これらによってリニアモーターを構成している。したがって、コイル７３に電流を流すことによって走行体７４は長手方向に移動する力を生じる。
【００２９】
また、固定片７７には断面略Ｌ字状の連結片７８が固定されており、連結片７８の下面は内障子２の上框４０に対してネジ止め固定されている。図１に示すように、リニア駆動装置７０の走行体７４に内障子２の上框４０を連結して内障子２を上吊り状としたので、内障子２の下框５０に設けられる戸車５２は、下枠２０の内レール２３からは浮いた状態となり、内障子２は上吊り戸車７６の転動に伴って長手方向に移動する。これにより、リニア駆動装置７０の走行体７４が長手方向に移動するのに伴い、内障子２をサッシの長手方向に移動させることができる。また、戸車５２は下框５０に対して上下方向に調整自在となるように取付けられているので、内障子２を上吊り状とした上で、戸車５２を調整し、下枠２０の内レール２３から浮いた状態となるようにしてもよい。さらに、下框５０から戸車５２を外した状態で内障子２を走行体７４に上吊り状に支持させることで、内障子２が下枠２０の内レール２３から浮いた状態となるようにすることもできる。
【００３０】
このように外障子３についてはガイドレール１５を上枠１０に設けた上で、上枠１０には室内側に開口する開口凹部１８を形成し、ここにリニア駆動装置７０を納めて内障子２を上吊り状に連結するようにしたので、引き違いサッシの構成において内障子２を自動的に開閉可能とすることができる。
【００３１】
また、外障子３をリニア駆動装置７０によって開閉させるように構成することもできる。図４には、外障子３側にリニア駆動装置７０を設けた場合の上枠１０付近の拡大図を示している。この場合、図４に示した以外の部分については、図１、２に示した構成と同様である。
【００３２】
図４に示すように、外障子３を駆動する場合には、ガイドレール部１２を係合部１３によって固着部１１の室内側寄りに取付ける。ガイドレール部１２は図３に示すものと同形状であって、室内外面を反転させたものである。これによって上枠１０には室外側に開口した開口凹部１８が形成され、この開口凹部１８にリニア駆動装置７０が納められる。ガイドレール部１２の下面に形成されるガイドレール１５は、内障子２を案内する。
【００３３】
リニア駆動装置７０は、図３に示すものを左右反転させた同様の構成からなっている。そして、走行体７４と外障子３の上框４０は、連結片７８によって連結され、外障子３は走行体７４に上吊り状に支持されて長手方向に走行自在とされる。また、固着部１１の室外側端部には、リニア駆動装置７０の室外側露出部分を覆うように幕板７９が取付けられる。
【００３４】
上枠１０を固着部１１とガイドレール部１２の二部材から構成し、ガイドレール部１２は固着部１１に対して室内外いずれの向きであっても取付けられるように構成したことにより、ガイドレール部１２を内障子２を駆動する場合と外障子３を駆動する場合の両方に共用することができる。
【００３５】
次に、本発明の第２の実施形態について説明する。本実施形態におけるサッシの構成は、上枠１０付近以外については第１の実施形態と同様である。したがって上枠１０付近以外の部分については説明を省略する。図５には本実施形態におけるサッシの縦断面図を示している。この図においては、内障子２をリニア駆動装置７０によって移動させる構成としている。
【００３６】
図５に示すように、上枠１０は第１の実施形態と同様に建物躯体に対して固定される固着部１１と、ガイドレール１５を下面に有するガイドレール部１２との二部材から構成される。ガイドレール部１２は係合部１３によって固着部１１の室外側寄りに固定され、上枠１０には室内側に向かって開口する開口凹部１８が形成される。リニア駆動装置７０は上枠１０の開口凹部１８に納められる。
【００３７】
ここで、ガイドレール部１２の下面には、外障子３を案内するガイドレール１５と、下面が室内側に向かって延出された延出部１６とが形成されると共に、延出部１６の室内端部には第２のガイドレール１７が形成される。これによって、外障子３はガイドレール１５に、内障子２は第２のガイドレール１７によって長手方向に案内される。
【００３８】
リニア駆動装置７０と内障子２の上框４０は、連結片７８によって連結され、内障子２が上吊り状とされる点は第１の実施形態と同様である。ただし、本実施形態ではガイドレール部１２に延出部１６及び第２のガイドレール１７が形成されているために、第１の実施形態とは異なり、連結片７８は上框４０の室内側面に対しネジ止め固定されている。
【００３９】
このようにガイドレール部１２に第２のガイドレール１７を設けて、上枠１０によって内障子２と外障子３のいずれも案内するようにしたので、上枠１０において通常のサッシと同様の気密性及び水密性を確保することができる。外障子３の上框４０には、室外面上端部にタイト材４２が長手方向に沿って設けられ、これが上枠１０のガイドレール１５に当接して外障子３部分における気密性及び水密性を確保する。また、内障子２の上框４０にも、室外面上端部にタイト材４２が長手方向に沿って設けられ、これが上枠１０の第２のガイドレール１７に当接して内障子２部分における気密性及び水密性を確保する。さらに、上枠１０の内障子２と外障子３の召合せ部には、ガイドレール１５から第２のガイドレール１７に渡って上端ブロック９０が設けられる。上端ブロック９０は、下面にヒレ部９０ａを有しており、この部分で召合せ部におけるガイドレール１５から第２のガイドレール１７に渡る気密性及び水密性を確保する。上枠１０に第２のガイドレール１７を設けることによって、通常のサッシと同様、内障子２と外障子３の両方においてタイト材４２による気密・水密を図り、さらには上端ブロック９０を設けることによって、上枠１０の気密・水密ラインが連続状とされ、充分な気密性及び水密性を確保することができる。
【００４０】
図６には、サッシの分解斜視図を示している。この図に示すように、枠体１は上枠１０と下枠２０及び左右の縦枠３０、３０を方形状に枠組みして構成される。また、上枠１０には室内側に向かって開口する開口凹部１８が形成されており、ここに室内側からリニア駆動装置７０が取付けられる。
【００４１】
リニア駆動装置７０を構成する基部７１は、上枠１０の長手方向略全長に渡る長さを有している。また、基部７１に取付けられるコイル７３は、基部７１の略半分の長さを有し、基部７１の中央部に固定される。さらに、走行体７４を構成する磁石７５は、基部７１の略半分の長さを有すると共に、その両端部近傍にそれぞれ上吊り戸車７６が設けられる。コイル７３と磁石７５はいずれも基部７１の略半分の長さを有し、コイル７３は基部７１の中央部に配置されていることにより、磁石７５は少なくとも半分以上の領域がコイル７３と対向した状態となる。そして磁石７５は、戸車走行レール７２を長手方向に移動するのに伴って、コイル７３と対向する長さが随時変化する。
【００４２】
内障子２の上框４０には、リニア駆動装置７０の２つの上吊り戸車７６に対応して連結片７８が固定され、上吊り戸車７６と連結片７８をネジ止め固定することによって内障子２がリニア駆動装置７０の走行体７４に上吊り状に支持される。さらに、上枠１０の室内側端部には、リニア駆動装置７０を納めた開口凹部１８を覆うように幕板７９が取付けられ、室内側からリニア駆動装置７０が見えないようにする。
【００４３】
また、本実施形態でも外障子３をリニア駆動装置７０によって駆動することができる。図７には外障子３を駆動する場合の上枠１０付近の拡大図を示している。この図に示すように、上枠１０は固着部１１の室内側寄りにガイドレール部１２を係合部１３によって固定してなり、ガイドレール部１２は図５に示すものと同形状であって、室内外面を反転させたものである。
【００４４】
上枠１０には、室外側に向かって開口する開口凹部１８が形成され、この開口凹部１８内にリニア駆動装置７０が納められる。また、ガイドレール部１２はガイドレール１５によって内障子２を案内し、室外側に向かって延出された延出部１６の室外端部に形成される第２のガイドレール１７によって外障子３を案内する。
【００４５】
このように本実施形態においても、上枠１０を固着部１１とガイドレール部１２の二部材によって構成し、ガイドレール部１２は固着部１１に対して室内外いずれの向きであっても取付けられるように構成したことにより、ガイドレール部１２を内障子２を駆動する場合と外障子３を駆動する場合の両方に共用することができる。
【００４６】
次に、本発明の第３の実施形態について説明する。本実施形態のサッシは、第２の実施形態のサッシと略同様の構成からなるが、第２の実施形態のサッシがリニア駆動装置７０によって駆動される障子を、走行体７４に上吊り状に支持させたのに対して、本実施形態のサッシでは障子を上吊り状とせずに下枠２０上を走行するように構成している。図８には本実施形態におけるサッシの縦断面図を示している。
【００４７】
本実施形態のサッシは、第１及び第２の実施形態と同様に、ビルなどの建物開口部に取付けられるものであり、図８にはその取付構造についても示している。上枠１０の固着部１１には、アンカー部材８０が係合されており、またアンカー部材８０は建物躯体に対してアンカーボルト８１によって固定される。また、下枠２０にも固着部２５が形成されており、これもアンカー部材８０が係合されると共に、アンカー部材８０はアンカーボルト８１によって建物躯体に固定される。縦枠３０についても同様に固定がなされる。また、上枠１０には室内側端部に室内側片１９が形成されており、これが額縁材４に当接してネジ止め固定される。さらに、下枠２０の室内側片２１は、床材５に当接してネジ止め固定される。
【００４８】
サッシの構成は、上枠１０以外については第２の実施形態と同様である。上枠１０は、固着部１１とガイドレール部１２の二部材から構成され、ガイドレール部１２は外障子３を案内するガイドレール１５と、室内側に延出した延出部１６に形成され内障子２を案内する第２のガイドレール１７とを有している。また、ガイドレール部１２は固着部１１の室外側寄りに固定されることにより、上枠１０は室内側に向かって開口する開口凹部１８を有し、この開口凹部１８にはリニア駆動装置７０が納められる。
【００４９】
リニア駆動装置７０は、基部７１とコイル７３と走行体７４からなり、基部７１及びコイル７３の構成については第２の実施形態と同様である。一方、走行体７４は磁石７５のみからなり、上吊り戸車７６は設けられていない。磁石７５には固定片７７を介して連結片７８が連結されており、連結片７８は内障子２の上框４０とネジ止め固定されている。内障子２の下框５０に設けられる戸車５２は、下枠２０の内レール２３上に載置され走行自在な状態とされており、リニア駆動装置７０の走行体７４が長手方向に移動するのに伴って、内障子２はサッシの長手方向に移動する。
【００５０】
このように、本実施形態では障子をリニア駆動装置７０に上吊り状とせずに、障子の戸車５２によって長手方向に走行させるようにしたので、リニア駆動装置７０を小型化することができ、それを納める上枠１０もコンパクトにすることができる。なお、図８には内障子２をリニア駆動装置７０で駆動するものを示したが、第１及び第２の実施形態と同様に外障子３をリニア駆動装置７０で駆動するように構成してもよい。
【００５１】
次に、本発明の第４の実施形態について説明する。図９には本実施形態におけるサッシの縦断面図を示している。本実施形態のサッシも、建物躯体に対する取付構造は第３の実施形態と同様である。一方、本実施形態のサッシにおいては、リニア駆動装置７０を上枠１０に納めるのではなくサッシの室内側近傍に配置し、それを内障子２に連結して駆動するようにしている。
【００５２】
リニア駆動装置７０は、基部７１を上枠１０の室内側片１９より室内側の額縁材４にネジ止め固定し、基部７１内にはコイル７３を固定する。また、コイル７３に対向するように走行体７４の磁石７５を設け、さらに走行体７４は連結片７８及び固定ブラケット８２を介して内障子２の縦框６０に固定される。これによって走行体７４はサッシの長手方向に移動自在とされ、内障子２は走行体７４の移動に伴ってサッシの長手方向に移動することができる。
【００５３】
この場合、第１及び第２の実施形態のように内障子２をリニア駆動装置７０で上吊り状に支持することはできないので、第３の実施形態と同様に内障子２の下框５０に設けられる戸車５２が下枠２０の内レール２３上に載置されて走行自在とされ、これによって内障子２が長手方向に走行するようにしている。
【００５４】
このようにリニア駆動装置７０をサッシの室内側に取付けるようにしたことにより、上枠１０にリニア駆動装置７０を納めるための構成を設ける必要がなく、したがって既存のサッシに後付けでリニア駆動装置７０の構成を追加することができる。なお、リニア駆動装置７０をサッシの室外側近傍に取付けて、外障子３に対して固定ブラケット８２を介して連結するようにしてもよい。
【００５５】
次に、本発明の第５の実施形態について説明する。図１０には本実施形態におけるサッシの縦断面図を示している。本実施形態におけるサッシは、ビルの建物開口部に設けられる第１〜４の実施形態のサッシと異なり、住宅の建物開口部に設けられるものである。そのためサッシの取付構造が第１〜４の実施形態のものとは異なっている。
【００５６】
図１０に示すように、上枠１０が建物躯体に対して固定される固着部１１と、ガイドレール１５を有したガイドレール部１２とから構成される点は第１〜４の実施形態と同様である。一方、固着部１１の構成が異なっている。固着部１１には上面にフィン部１１ａが形成され、これが建物躯体の室外面に当接しネジ止め固定されることによって、固着部１１が建物躯体に固定される。また、固着部１１のフィン部１１ａよりも室内側で建物躯体に対してネジ止めされると共に、固着部１１の室内側端部は、額縁材４に当接しこれもネジ止め固定される。
【００５７】
下枠２０にもその下面にフィン部２９が形成されており、これが建物躯体の室外面に当接しネジ止め固定される。また、室内端部において建物躯体に対して直接ネジ止め固定されると共に、室内側片が床材５に当接しネジ止め固定される。さらに、図示しないが縦枠３０についても同様にフィン部が設けられて、これが建物躯体にネジ止め固定される。
【００５８】
本実施形態においては、下枠２０の室内側片２１と内レール２３の上端及び外レール２４の上端は、略フラットとなるように形成されている。ただし、室内側溝２６や中間溝２７の上部に第１〜４の実施形態のサッシのように幅狭な部分が形成されていない。第１〜４の実施形態のサッシでは幅狭な部分に下框５０の垂下部５１を飲み込ませて、障子を安定的に走行させるようにしていたが、本実施形態のサッシでは、リニア駆動装置７０によって駆動される内障子２がリニア駆動装置７０に上吊り状に支持されると、下框５０を安定的に走行させることが困難となる。したがって、本実施形態では第３及び第４の実施形態と同様に、内障子２の下框５０に設けられる戸車５２を内レール２３上に載置して、これによって内障子２を長手方向に走行させるようにしている。これに伴い、リニア駆動装置７０の走行体７４は磁石７５のみから構成され、連結片７８を介して内障子２の上框４０と連結するようにしている。その他、内障子２をリニア駆動装置７０によって駆動する構成は、第３及び第４の実施形態と同様である。
【００５９】
これまで本発明の実施形態について説明したが、本発明の適用はこれら実施形態には限られず、その技術的思想の範囲内において様々に適用されうるものである。例えば、第１〜５の実施形態においては、上枠１０を固着部１１とガイドレール部１２の二部材により構成したが、これらを一体とした上枠１０を用いてもよい。また、これら実施形態では、内障子２と外障子３のいずれもが枠体１の長手方向に移動自在な引き違いサッシについて示したが、内障子２と外障子３のいずれか一方が枠体の長手方向に移動自在であって、他方については固定された嵌め殺し窓であってもよく、この場合には移動自在とされる障子に対し、リニア駆動装置７０の走行体７４が連結される。
【図面の簡単な説明】
【００６０】
【図１】第１の実施形態におけるサッシの縦断面図である。
【図２】第１の実施形態におけるサッシの横断面図である。
【図３】図１の上枠付近拡大図である。
【図４】外障子側にリニア駆動装置を設けた場合の上枠付近拡大図である。
【図５】第２の実施形態におけるサッシの縦断面図である。
【図６】サッシの分解斜視図である。
【図７】第２の実施形態において外障子側にリニア駆動装置を設けた場合の上枠付近拡大図である。
【図８】第３の実施形態におけるサッシの上枠付近拡大図である。
【図９】第４の実施形態におけるサッシの上枠付近拡大図である。
【図１０】第５の実施形態におけるサッシの上枠付近拡大図である。
【符号の説明】
【００６１】
１    枠体
２    内障子
３    外障子
１０    上枠
１１    固着部
１２    ガイドレール部
１５    ガイドレール
１６    延出部
１７    第２のガイドレール
１８    開口凹部
２０    下枠
３０    縦枠
４０    上框
５０    下框
５２    戸車
６０    縦框
７０    リニア駆動装置
７１    基部
７２    戸車走行レール
７３    コイル
７４    走行体
７５    磁石
７６    上吊り戸車
７７    固定片
７８    連結片
７９    幕板
【図１】
2007270535.tif 000003
【図２】
2007270535.tif 000004
【図３】
2007270535.tif 000005
【図４】
2007270535.tif 000006
【図５】
2007270535.tif 000007
【図６】
2007270535.tif 000008
【図７】
2007270535.tif 000009
【図８】
2007270535.tif 000010
【図９】
2007270535.tif 000011
【図１０】
2007270535.tif 000012